(57)【要約】【課題】コの字状のマグネット支持部材を使用しながらも機械的剛性が優れた磁場形成装置、および、そのような磁場形成装置を備えた磁気共鳴撮影装置を実現する。【解決手段】垂直肢およびこの垂直肢の両端部から水平方向に延びる一対の水平肢を有するマグネット支持部材（１１５）と、１対の水平肢によってそれぞれ支持され垂直方向に間隔をあけて互いに対向する一対のマグネット（１１１，１１３）と、マグネット支持部材に、１対の水平肢のうちの上側の水平肢（１５１）の上面から垂直肢（１５５）の背面にかけて設けられたリブ部材（１５９）とを具備する。【選択図】      図７
2004283274.tif 000002
【特許請求の範囲】
【請求項１】
垂直肢およびこの垂直肢の両端部から水平方向に延びる一対の水平肢を有するマグネット支持部材と、
前記一対の水平肢によってそれぞれ支持され垂直方向に間隔をあけて互いに対向する一対のマグネットと、
前記マグネット支持部材に、前記１対の水平肢のうちの上側の水平肢の上面から前記垂直肢の背面にかけて設けられたリブ部材と、
を具備することを特徴とする磁場形成装置。
【請求項２】
前記リブ部材は複数本平行に設けられる、
ことを特徴とする請求項１に記載の磁場形成装置。
【請求項３】
前記リブ部材は２本平行に設けられる、
ことを特徴とする請求項１または請求項２に記載の磁場形成装置。
【請求項４】
前記リブ部材は前記マグネット支持部材の側面から予め定められた距離だけ内側の位置に設けられる、
ことを特徴とする請求項１ないし請求項３のうちのいずれか１つに記載の磁場形成装置。
【請求項５】
撮影の対象を受容する空間を有しこの空間に静磁場、勾配磁場および高周波磁場を形成する磁場形成手段と、
前記磁場形成手段を通じて収集した磁気共鳴信号に基づいて画像を生成する画像生成手段と、
を有する磁気共鳴撮影装置であって、
前記磁場形成手段は、
垂直肢およびこの垂直肢の両端部から水平方向に延びる一対の水平肢を有するマグネット支持部材と、
前記一対の水平肢によってそれぞれ支持され垂直方向に間隔をあけて互いに対向する一対のマグネットと、
前記マグネット支持部材に、前記１対の水平肢のうちの上側の水平肢の上面から前記垂直肢の背面にかけて設けられたリブ部材と、
を具備することを特徴とする磁気共鳴撮影装置。
【請求項６】
前記リブ部材は、複数本平行に設けられる、
ことを特徴とする請求項５に記載の磁気共鳴撮影装置。
【請求項７】
前記リブ部材は、２本平行に設けられる、
ことを特徴とする請求項５または請求項６に記載の磁気共鳴撮影装置。
【請求項８】
前記リブ部材は、前記マグネット支持部材の側面から予め定められた距離だけ内側の位置に設けられる、
ことを特徴とする請求項５ないし請求項７のうちのいずれか１つに記載の磁気共鳴撮影装置。
【発明の詳細な説明】
【０００１】
【発明の属する技術分野】
本発明は、磁場形成装置および磁気共鳴撮影装置に関し、とくに、垂直方向に間隔をあけて互いに対向する一対のマグネット（ｍａｇｎｅｔ）をコの字状のマグネット支持部材で支持した構造を有する磁場形成装置、および、そのような磁場形成装置を備えた磁気共鳴撮影装置に関する。
【０００２】
【従来の技術】
磁気共鳴撮影（ＭＲＩ：Ｍａｇｎｅｔｉｃ  Ｒｅｓｏｎａｎｃｅ  Ｉｍａｇｉｎｇ）装置では、マグネットシステム（ｍａｇｎｅｔ  ｓｙｓｔｅｍ）の内部空間、すなわち、撮影空間に撮影の対象を搬入し、静磁場、勾配磁場および高周波磁場を印加して対象内のスピン（ｓｐｉｎ）を励起して磁気共鳴信号を発生させ、その受信信号に基づいて画像を再構成する。
【０００３】
マグネットシステムのひとつの形式として、開放型のマグネットシステムがある。開放型のマグネットシステムは、撮影空間を隔てて上下に対向する１対のマグネットをコの字状のマグネット支持部材すなわちヨーク（ｙｏｋｅ）で支持した構造になっている。ヨークの機械的剛性を増すために、コの字構造の内側の隅に補強部材が取り付けられる（例えば、特許文献１参照）。
【０００４】
【特許文献１】
特開２０００−１３９８７４号公報（第３−４頁、図１−３）
【０００５】
【発明が解決しようとする課題】
上記のようなマグネットシステムでは、補強部材がコの字構造の内側に取り付けられるので、マグネットの磁場に対する影響が大きくまた空間的な制約もあり必ずしも十分な効果が得られない。
【０００６】
そこで、本発明の課題は、コの字状のマグネット支持部材を使用しながらも機械的剛性が優れた磁場形成装置、および、そのような磁場形成装置を備えた磁気共鳴撮影装置を実現することである。
【０００７】
【課題を解決するための手段】
（１）上記の課題を解決するためのひとつの観点での発明は、垂直肢およびこの垂直肢の両端部から水平方向に延びる一対の水平肢を有するマグネット支持部材と、前記一対の水平肢によってそれぞれ支持され垂直方向に間隔をあけて互いに対向する一対のマグネットと、前記マグネット支持部材に、前記１対の水平肢のうちの上側の水平肢の上面から前記垂直肢の背面にかけて設けられたリブ部材と、を具備することを特徴とする磁場形成装置である。
【０００８】
（２）上記の課題を解決する他の観点での発明は、撮影の対象を受容する空間を有しこの空間に静磁場、勾配磁場および高周波磁場を形成する磁場形成手段と、前記磁場形成手段を通じて収集した磁気共鳴信号に基づいて画像を生成する画像生成手段と、を有する磁気共鳴撮影装置であって、前記磁場形成手段は、垂直肢およびこの垂直肢の両端部から水平方向に延びる一対の水平肢を有するマグネット支持部材と、前記一対の水平肢によってそれぞれ支持され垂直方向に間隔をあけて互いに対向する一対のマグネットと、前記マグネット支持部材に、前記１対の水平肢のうちの上側の水平肢の上面から前記垂直肢の背面にかけて設けられたリブ部材と、を具備することを特徴とする磁気共鳴撮影装置である。
【０００９】
上記各観点での発明では、マグネット支持部材に、１対の水平肢のうちの上側の水平肢の上面から垂直肢の背面にかけてリブ部材を設けたので、コの字状のマグネット支持部材を使用しながらも機械的剛性が優れた磁場形成装置を実現することができる。
【００１０】
前記リブ部材は複数本平行に設けられることが、剛性向上が容易な点で好ましい。前記リブ部材は２本平行に設けられることが、対称性を実現する点で好ましい。前記リブ部材は前記マグネット支持部材の側面から予め定められた距離だけ内側の位置に設けられることが、外側を覆うエンクロージャのカーブを緩くする点で好ましい。
【００１１】
【発明の実施の形態】
以下、図面を参照して本発明の実施の形態を詳細に説明する。なお、本発明は実施の形態に限定されるものではない。図１に磁気共鳴撮影装置のブロック（ｂｌｏｃｋ）図を示す。本装置は本発明の実施の形態の一例である。本装置の構成によって、本発明の磁気共鳴撮影装置に関する実施の形態の一例が示される。
【００１２】
同図に示すように、本装置はマグネットシステム１００を有する。マグネットシステム１００は主磁場マグネット部１０２、勾配コイル部１０６およびＲＦコイル部１０８を有する。主磁場マグネット部１０２、勾配コイル部１０６およびＲＦコイル部１０８は、いずれも空間を挟んで互いに対向する一対のものからなる。また、いずれも概ね円盤状の形状を有し中心軸を共有して配置されている。マグネットシステム１００については後にあらためて説明する。
【００１３】
マグネットシステム１００の内部空間（ボア：ｂｏｒｅ）に、対象１がテーブル５００に搭載されて搬入および搬出される。テーブル５００はテーブル駆動部１２０によって駆動される。
【００１４】
主磁場マグネット部１０２はマグネットシステム１００の内部空間に静磁場を形成する。静磁場の方向は概ね対象１の体軸方向と直交する。すなわちいわゆる垂直磁場を形成する。主磁場マグネット部１０２は例えば永久磁石等を用いて構成される。なお、永久磁石に限らず超伝導電磁石あるいは常伝導電磁石等を用いて構成してもよいのはもちろんである。
【００１５】
勾配コイル部１０６は、互いに垂直な３軸すなわちスライス（ｓｌｉｃｅ）軸、位相軸および周波数軸の方向において、それぞれ静磁場強度に勾配を持たせるための３つの勾配磁場を生じる。
【００１６】
スライス軸方向の勾配磁場をスライス勾配磁場ともいう。位相軸方向の勾配磁場を位相エンコード（ｐｈａｓｅ  ｅｎｃｏｄｅ）勾配磁場ともいう。周波数軸方向の勾配磁場をリードアウト（ｒｅａｄ  ｏｕｔ）勾配磁場ともいう。このような勾配磁場の発生を可能にするために、勾配コイル部１０６は図示しない３系統の勾配コイルを有する。以下、勾配磁場を単に勾配ともいう。
【００１７】
ＲＦコイル部１０８は静磁場空間に対象１の体内のスピンを励起するためのＲＦパルス（ｒａｄｉｏ  ｆｒｅｑｕｅｎｃｙ  ｐｕｌｓｅ）を送信する。ＲＦコイル部１０８は、また、励起されたスピンが生じる磁気共鳴信号を受信する。ＲＦコイル部１０８は、送信と受信を同一のコイルで行うものでも別々なコイルで行うものでもどちらでもよい。
【００１８】
勾配コイル部１０６には勾配駆動部１３０が接続されている。勾配駆動部１３０は勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００１９】
ＲＦコイル部１０８にはＲＦ駆動部１４０が接続されている。ＲＦ駆動部１４０はＲＦコイル部１０８に駆動信号を与えてＲＦパルスを送信し、対象１の体内のスピンを励起する。
【００２０】
ＲＦコイル部１０８にはデータ収集部１５０が接続されている。データ収集部１５０は、ＲＦコイル部１０８が受信した受信信号をサンプリング（ｓａｍｐｌｉｎｇ）によって取り込み、それをディジタルデータ（ｄｉｇｉｔａｌ  ｄａｔａ）として収集する。
【００２１】
テーブル駆動部１２０、勾配駆動部１３０、ＲＦ駆動部１４０およびデータ収集部１５０には制御部１６０が接続されている。制御部１６０は、テーブル駆動部１２０ないしデータ収集部１５０をそれぞれ制御して撮影を遂行する。
【００２２】
制御部１６０は、例えばコンピュータ（ｃｏｍｐｕｔｅｒ）等を用いて構成される。制御部１６０は図示しないメモリ（ｍｅｍｏｒｙ）を有する。メモリは制御部１６０用のプログラムおよび各種のデータを記憶している。制御部１６０の機能は、コンピュータがメモリに記憶されたプログラムを実行することにより実現される。
【００２３】
データ収集部１５０の出力側はデータ処理部１７０に接続されている。データ収集部１５０が収集したデータがデータ処理部１７０に入力される。データ処理部１７０は、例えばコンピュータ等を用いて構成される。データ処理部１７０は図示しないメモリを有する。メモリはデータ処理部１７０用のプログラムおよび各種のデータを記憶している。
【００２４】
データ処理部１７０は制御部１６０に接続されている。データ処理部１７０は制御部１６０の上位にあってそれを統括する。本装置の機能は、データ処理部１７０がメモリに記憶されたプログラムを実行することによりを実現される。
【００２５】
データ処理部１７０は、データ収集部１５０が収集したデータをメモリに記憶する。メモリ内にはデータ空間が形成される。このデータ空間は２次元フーリエ（Ｆｏｕｒｉｅｒ）空間を構成する。以下、フーリエ空間をｋスペース（ｋ−ｓｐａｃｅ）ともいう。データ処理部１７０は、ｋスペースのデータを２次元逆フ−リエ変換することにより対象１の画像を再構成する。データ処理部１７０は、本発明における画像生成手段の実施の形態の一例である。
【００２６】
データ処理部１７０には表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇ
ｄｅｖｉｃｅ）を備えたキーボード（ｋｅｙｂｏａｒｄ）等で構成される。
【００２７】
表示部１８０は、データ処理部１７０から出力される再構成画像および各種の情報を表示する。操作部１９０は、使用者によって操作され、各種の指令や情報等をデータ処理部１７０に入力する。使用者は表示部１８０および操作部１９０を通じてインタラクティブ（ｉｎｔｅｒａｃｔｉｖｅ）に本装置を操作する。
【００２８】
図２、図３および図４にマグネットシステム１００の構成を示す。図２は正面図、図３は右側面図であり、これらはいずれもマグネットシステム１００のエンクロージャ（ｅｎｃｌｏｓｕｒｅ）の外観を示す。図４は図２についてのＡ−Ａ断面である。なお、図示を省略するが、左側面図は図３に示したものの鏡像に相当する図となる。これらの図に示すように、マグネットシステム１００は、基台部１１２、支柱部１１４および庇（ひさし）部１１６を有する。
【００２９】
基台部１１２の上面は水平な面となっている。支柱部１１４は、正面から見て基台部１１２の奥において概ね垂直に立ち上がっている。庇部１１６は、支柱部１１４の上部から正面に向かって概ね水平に延びている。庇部１１６の下面は空間を隔てて基台部１１２の上面と対向する。このようなマグネットシステムは、内部にマグネット本体を有する。マグネット本体については後にあらためて説明する。
【００３０】
マグネットシステム１００の基台部１１２には、撮影の対象を載せるテーブル５００が装架されている。テーブル５００は、マグネットシステム１００の正面から見て横長となるように基台部１１２に装架される。テーブル５００の、撮影の対象を搭載する面は基台部１１２の上面と平行になる。
【００３１】
基台部１１２へのテーブル５００の装架は、マグネットシステム１００の正面から見て、基台部１１２の左右両端部とそれらに対応するテーブル５００の下面間にそれぞれ設けられた一対の装架機構３１０によって行われる。装架機構３１０はテーブル駆動部１２０の一部をなす。
【００３２】
装架機構３１０の構成を図３によって説明する。同図に示すように、装架機構３１０は、テーブル５００を腕３１４によって下から支えるようになっている。テーブル５００は図示のように基台部１１２の上面からわずかに浮いた状態に保たれる。
【００３３】
腕３１４の、マグネットシステム１００の正面から見た奥の部分は、筒３２４内に水平方向の摺動が可能なように挿入されている。筒３２４は、筒３３４内に水平方向の摺動が可能なように挿入されている。筒３２４は、筒３４４内に水平方向の摺動が可能なように挿入されている。筒３４４は、マグネットシステム１００の正面から見て基台部１１２の横の端部に固定的に取り付けられている。同図は、腕３１４および各筒３２４，３３４がそれらを収容する筒にそれぞれ最も深く挿入された状態を示す。
【００３４】
筒３２４，３３４，３４４の内部には、それぞれ内側の腕ないし筒を例えば油圧等を利用して押し出しまた引き戻す機構を備えている。これによって、腕３１４および筒３２４，３３４，３４４からなる部分は全体として水平方向において伸縮可能な腕となる。以下、腕３１４および筒３２４，３３４，３４４からなる部分を伸縮腕ともいう。
【００３５】
図５に、伸縮腕を最も伸ばした状態を示す。同図に示すように、この状態ではテーブル５００が基台部１１２と庇部１１６の間の空間から完全に抜け出た状態となる。すなわち、テーブル５００は、基台部１１２の上からはずれてマグネットシステム１００の正面よりも手前に突出した状態となる。このため、撮影の対象はマグネットシステム１００の庇部１１６に妨げられることなくテーブル５００に乗り降りすることができる。
【００３６】
図５に示した状態で対象を載せたテーブル５００は、伸縮腕の短縮動作により基台部１１２と庇部１１６の間の空間内に引き戻される。伸縮腕が最も短縮した状態では、図３に示したように、テーブル５００が基台部１１２と庇部１１６の間の空間の定位置に到達する。
【００３７】
図６、図７、図８および図９にマグネット本体１１０の構成を示す。図６は正面図、図７は右側面図、図８は上面図、図９は背面図である。なお、図示を省略するが、左側面図は図７に示したものの鏡像に相当する図となる。マグネット本体１１０は、本発明の磁場形成装置の実施の形態の一例である。本装置の構成によって、本発明の磁場形成装置に関する実施の形態の一例が示される。マグネット本体１１０は、また、本発明における磁場形成手段の実施の形態の一例である。
【００３８】
これらの図に示すように、マグネット本体１１０は、上側磁石部１１１、下側磁石部１１３およびヨーク１１５を有する。上側磁石部１１１および下側磁石部１１３は、本発明におけるマグネットの実施の形態の一例である。ヨーク１１５は、本発明におけるマグネット支持部材の実施の形態の一例である。
【００３９】
ヨーク１１５は、垂直肢１５５およびこの垂直肢１５５の両端部から水平方向に延びる一対の水平肢１５１，１５３を有する。すなわち、ヨーク１１５は側面から見て概ねコの字状となる構造を有する。コの字型のヨーク１１５は下側の水平肢１５３の下面に３つの脚部１５７を有する。
【００４０】
上側磁石部１１１および下側磁石部１１３は、コの字状のヨーク１１５の上側の水平肢１５１の下面および下側の水平肢１５３の上面に、空間を隔てて互いに対向する関係でそれぞれ取り付けられている。
【００４１】
上側磁石部１１１および下側磁石部１１３は、いずれも２段重ねの概ね短円柱状の形状をなす。上側磁石部１１１および下側磁石部１１３は、いずれも前述の主磁場マグネット部１０２、勾配コイル部１０６およびＲＦコイル部１０８を含む。
【００４２】
ヨーク１１５には、水平肢１５１の上面から垂直肢１５５の背面にかけてリブ（ｒｉｂ）１５９が設けられている。リブ１５９の材料としては、例えば鋼鉄等が用いられる。リブ１５９は、直角に曲がったカギ型の形状をしており、コの字状のヨーク１１５の角部の形状に適合している。このようなリブ１５９が例えばネジ止め等によりヨーク１１５と一体化されている。リブ１５９は、本発明におけるリブ部材の実施の形態の一例である。
【００４３】
リブ１５９は互いに平行に２つ取り付けられる。２つのリブ１５９は、ヨーク１１５の両側から所定距離奥に位置するように取り付けられる。これによって、１対のリブ１５９は、コの字状のヨーク１１５の正中線に関して互いに対称的となる。なお、リブは２つに限らずそれ以上の複数であってよい。あるいは単一のリブとしてもよい。単一のリブの場合はコの字状のヨーク１１５の正中線上に取り付けられる。
【００４４】
リブ１５９は、コの字状のヨーク１１５に対する補強部材となる。これによって、コの字状のヨーク１１５は機械的剛性が大きいものとなる。補強部材がコの字状のヨーク１１５の外側に設けられているので、コの字状のヨーク１１５の内側に形成される磁場への影響が少ない。また、従来のようにコの字状のヨーク１１５の内側に設ける場合に比べて、磁気的にも空間的にも制約条件ははるかに少ない。このため、所望の剛性を実現するためのリブ設計の自由度が高い。
【００４５】
コの字状のヨーク１１５の水平肢１５１とリブ１５９の水平部分および上側磁石部１１１は、マグネットシステム１００の庇部１１６の中にある。コの字状のヨークの垂直肢１５５とリブ１５９の垂直部分は、マグネットシステム１００の支柱部１１４の中にある。コの字状のヨークの水平肢１５３と下側磁石部１１３および脚部１５７は、マグネットシステム１００の基台部１１２の中にある。これによって、基台部１１２と庇部１１６が対向する空間は、主磁場マグネット部１０２、勾配コイル部１０６およびＲＦコイル部１０８による磁場が形成される空間となる。
【００４６】
このように、マグネット本体１１０をエンクロージャで覆うとき、リブ１５９をエンクロージャの取付部として利用することができ、専用の取付部を不要にすることができる。その際、２つのリブ１５９は、ヨーク１１５の両側から所定距離奥に位置するように取り付けられているので、図９に示すように、エンクロージャの角部のカーブ（ｃｕｒｖｅ）を緩やかにすることができ、エンクロージャの美観を高めることができる。
【００４７】
さらに、ヨーク１１５の背面の２つのリブ１５９の間の空間は、勾配コイル部１０６やＲＦコイル部１０８のための電気回路ユニット（ｕｎｉｔ）を収容するための空間として利用することができる。
【００４８】
さらにまた、リブ１５９の下端はマグネット本体１１０をジャッキアップ（ｊａｃｋ−ｕｐ）するときの力の作用個所として利用することができ、従来不可欠であった専用のアダプタ（ａｄａｐｔｏｒ）等が不要となる。
【００４９】
図１０に、磁気共鳴撮影に用いるパルスシーケンス（ｐｕｌｓｅ  ｓｅｑｕｅｎｃｅ）の一例を示す。このパルスシーケンスは、スピンエコー（ＳＥ：Ｓｐｉｎ  Ｅｃｈｏ）法のパルスシーケンスである。
【００５０】
すなわち、（１）はＳＥ法におけるＲＦ励起用の９０°パルスおよび１８０°パルスのシーケンスであり、（２）、（３）、（４）および（５）は、同じくそれぞれ、スライス勾配Ｇｓ、リードアウト勾配Ｇｒ、フェーズエンコード勾配ＧｐおよびスピンエコーＭＲのシーケンスである。なお、９０°パルスおよび１８０°パルスはそれぞれ中心信号で代表する。パルスシーケンスは時間軸ｔに沿って左から右に進行する。
【００５１】
同図に示すように、９０°パルスによりスピンの９０°励起が行われる。このときスライス勾配Ｇｓが印加され所定のスライスについての選択励起が行われる。９０°励起から所定の時間後に、１８０°パルスによる１８０°励起すなわちスピン反転が行われる。このときもスライス勾配Ｇｓが印加され、同じスライスについての選択的反転が行われる。
【００５２】
９０°励起とスピン反転の間の期間に、リードアウト勾配Ｇｒおよびフェーズエンコード勾配Ｇｐが印加される。リードアウト勾配Ｇｒによりスピンのディフェーズ（ｄｅｐｈａｓｅ）が行われる。フェーズエンコード勾配Ｇｐによりスピンのフェーズエンコードが行われる。
【００５３】
スピン反転後、リードアウト勾配Ｇｒでスピンをリフェーズ（ｒｅｐｈａｓｅ）してスピンエコーＭＲを発生させる。スピンエコーＭＲはデータ収集部１５０によりビューデータ（ｖｉｅｗ  ｄａｔａ）として収集される。このようなパルスシーケンスが周期ＴＲ（ｒｅｐｅｔｉｔｉｏｎ  ｔｉｍｅ）で６４〜５１２回繰り返される。繰り返しのたびにフェーズエンコード勾配Ｇｐを変更し、毎回異なるフェーズエンコードを行う。これによって、６４〜５１２ビューのビューデータが得られる。
【００５４】
磁気共鳴撮影用パルスシーケンスの他の例を図１１に示す。このパルスシーケンスは、グラディエントエコー（ＧＲＥ：Ｇｒａｄｉｅｎｔ  Ｅｃｈｏ）法のパルスシーケンスである。
【００５５】
すなわち、（１）はＧＲＥ法におけるＲＦ励起用のα°パルスのシーケンスであり、（２）、（３）、（４）および（５）は、同じくそれぞれ、スライス勾配Ｇｓ、リードアウト勾配Ｇｒ、フェーズエンコード勾配ＧｐおよびスピンエコーＭＲのシーケンスである。なお、α°パルスは中心信号で代表する。パルスシーケンスは時間軸ｔに沿って左から右に進行する。
【００５６】
同図に示すように、α°パルスによりスピンのα°励起が行われる。αは９０以下である。このときスライス勾配Ｇｓが印加され所定のスライスについての選択励起が行われる。
【００５７】
α°励起後、フェーズエンコード勾配Ｇｐによりスピンのフェーズエンコードが行われる。次に、リードアウト勾配Ｇｒにより先ずスピンをディフェーズし、次いでスピンをリフェーズして、グラディエントエコーＭＲを発生させる。グラディエントエコーＭＲはデータ収集部１５０によりビューデータとして収集される。このようなパルスシーケンスが周期ＴＲで６４〜５１２回繰り返される。繰り返しのたびにフェーズエンコード勾配Ｇｐを変更し、毎回異なるフェーズエンコードを行う。これによって、６４〜５１２ビューのビューデータが得られる。
【００５８】
図１０または図１１のパルスシーケンスによって得られたビューデータが、データ処理部１７０のメモリに収集される。なお、パルスシーケンスはＳＥ法またはＧＲＥ法に限るものではなく、例えばファーストスピンエコー（ＦＳＥ：Ｆａｓｔ  Ｓｐｉｎ  Ｅｃｈｏ）法やエコープラナーイメージング（ＥＰＩ：Ｅｃｈｏ  Ｐｌａｎａｒ  Ｉｍａｇｉｎｇ）等、他の適宜の技法のものであってよいのはいうまでもない。データ処理部１７０は、メモリに収集したビューデータに基づいて画像を再構成する。
【００５９】
リブ１５９による補強によりマグネット本体１１０の機械的剛性が大きいので、床振動等にマグネット本体１１０が共振することはない。このため、マグネット本体１１０の振動による磁場変動に由来する画質劣化は発生しない。
【００６０】
【発明の効果】
以上詳細に説明したように、本発明によれば、コの字状のマグネット支持部材を使用しながらも機械的剛性が優れた磁場形成装置、および、そのような磁場形成装置を備えた磁気共鳴撮影装置を実現することができる。
【図面の簡単な説明】
【図１】本発明の実施の形態の一例の装置のブロック図である。
【図２】マグネットシステムの構成を示す図である。
【図３】マグネットシステムの構成を示す図である。
【図４】図２におけるＡ−Ａ断面を示す図である。
【図５】テーブル押し出し状態を示す図である。
【図６】マグネット本体の構成を示す図である。
【図７】マグネット本体の構成を示す図である。
【図８】マグネット本体の構成を示す図である。
【図９】マグネット本体の構成を示す図である。
【図１０】撮影のパルスシーケンスを示す図である。
【図１１】撮影のパルスシーケンスを示す図である。
【符号の説明】
１  対象
１００  マグネットシステム
１０２  主磁場マグネット部
１０６  勾配コイル部
１０８  ＲＦコイル部
１２０  テーブル駆動部
１３０  勾配駆動部
１４０  ＲＦ駆動部
１５０  データ収集部
１６０  制御部
１７０  データ処理部
１８０  表示部
１９０  操作部
５００  テーブル
１１２  基台部
１１４  支柱部
１１６  庇部
３１０  装架機構
１１０  マグネット本体
１１５  ヨーク
１５１，１５３  水平肢
１５５  垂直肢
１１１  上側磁石部
１１３  下側磁石部
１５９  リブ
【図１】
2004283274.tif 000003
【図２】
2004283274.tif 000004
【図３】
2004283274.tif 000005
【図４】
2004283274.tif 000006
【図５】
2004283274.tif 000007
【図６】
2004283274.tif 000008
【図７】
2004283274.tif 000009
【図８】
2004283274.tif 000010
【図９】
2004283274.tif 000011
【図１０】
2004283274.tif 000012
【図１１】
2004283274.tif 000013